(57)【特許請求の範囲】
【請求項１】
合成樹脂製の第１シートと第２シートからなり、
内側に収納部を有する袋状シート体の一側に、前記第１シートと前記第２シートとの重ね合わせ帯部を有し、
該重ね合わせ帯部に、縁からのスリットを有する４個の綴じ孔を形成すると共に、
該綴じ孔の周辺部に、第１シートと第２シートとの溶着補強部を有することで、
該重ね合わせ帯部が、溶着補強部と、溶着補強部が形成されている部分以外とで形成され、
溶着補強部が、綴じ孔の直径を１とすると、長手方向側に２〜５の長さであることを特徴とする、ファイルリフィール。
【請求項２】
溶着補強部が、綴じ孔の直径を１とすると、０．１〜０．６の縦横の長さの補強用溶着点の集合体からなり、
該集合体は、１２〜４０個の補強用溶着点からなることを特徴とする、前記請求項１に記載のファイルリフィール。
【発明の詳細な説明】
【技術分野】
【０００１】
本発明は、ファイルリフィールに関し、詳細にはリングファイル等に綴じるために使用するファイルリフィールに関する。
【背景技術】
【０００２】
リングファイル等に綴じこむためのリフィールとして、特許文献１に記載のクリアリフィールが知られている。
該クリアリフィールは、特許文献１の図１に示すように、透明かつ可撓性を有する合成樹脂製の長方形の表シート１ａと裏シート１ｂとが背部１ｃ及び下辺部１ｄにおいて閉塞され少なくとも前記背部と反対側の辺が開口部１ｅとされ、前記背部１ｃ又は開口部１ｅのいずれか一方に、綴じ穴２ａとこの綴じ穴２ａからそれぞれ背部側又は開口部側の端縁に達するスリット２ｂとからなる２つ又は４つのスリット付き綴じ穴２を形成したものである。
【０００３】
確かに、特許文献１に記載のクリアリフィールによれば、パイプファイルに対して、「押し込む」あるいは「引っ張る」動作をすることで、綴じ込みあるいは取り外しが完了する。
【発明の概要】
【発明が解決しようとする課題】
【０００４】
しかしながら、例えば、クリアリフィールに厚みのあるパンフレット等を収納し、該クリアリフィールを綴じ込んだ場合には、該綴じ込んだクリアリフィールが、パイプファイルの持ち出し・移動等に伴い、自然に外れる場合があった。
また、綴じ込みの際に、容易にできない場合もあった。
したがって、綴じ込みや取り外しの動作が簡単であり、かつ、厚みのあるパンフレット等を収納した場合であっても、自然に外れる現象を防ぎ、綴じ込みや取り外しの際に容易に行うことができる手段が望まれていた。
【課題を解決するための手段】
【０００５】
本発明の課題を解決するための手段は、下記のとおりである。
【０００６】
第１に、
合成樹脂製の第１シートと第２シートからなり、
内側に収納部を有する袋状シート体の一側に、前記第１シートと前記第２シートとの重ね合わせ帯部を有し、
該重ね合わせ帯部に、縁からのスリットを有する４個の綴じ孔を形成すると共に、
該綴じ孔の周辺部に、第１シートと第２シートとの溶着補強部を有することで、
該重ね合わせ帯部が、溶着補強部と、溶着補強部が形成されている部分以外とで形成され、
溶着補強部が、綴じ孔の直径を１とすると、長手方向側に２〜５の長さであることを特徴とする、ファイルリフィール。
第２に、
溶着補強部が、綴じ孔の直径を１とすると、０．１〜０．６の縦横の長さの補強用溶着点の集合体からなり、
該集合体は、１２〜４０個の補強用溶着点からなることを特徴とする、前記第１に記載のファイルリフィール。
【０００７】
ここで、合成樹脂製の第１シートと第２シートは、細長い一枚のシートを中央で折り返すことで形成できるものであり、２枚のシート材を用いて形成することを必須の要素とするものではない。
また、前記袋状シート体は、例えば、一枚のシートを折り返し、折り返すことで形成された折り返し辺の他の３辺について、該折り返し辺の対向辺に重ね合わせ帯部を形成し、残り２辺のうちの一辺を閉じた閉塞辺とし、他の一辺を開放辺とすることで、収納部を有するシート体のものとして形成することができる。
他にも、２辺共に閉塞辺とし、内部へのアクセス用に第１シートの表面の重ね合わせ帯部側に切り込みを形成することで、収納部を有するシート体のものとして形成することができる。
更に他にも、写真や名刺の差し込み用に多数の切り込み用を第１シートの表面に形成することで、写真や名刺を収納可能な収納部を有するシート体のものとして形成することができる。
前記重ね合わせ帯部や、前記閉塞辺は、多数の小さな溶着点を列状に配置した溶着列体によって形成することができる。
特に、前記重ね合わせ帯部は、列状に位置する多数の小さな溶着点による溶着列体を、間隔を空けて配置することで形成することができる。
前記補強用溶着点や溶着点は、重ね合わせた２枚のシート材を部分的に点状に挟み込んだままで、瞬間的に熱を加えてシート材を溶かした後に固めて一体化することで形成することができる。
【発明の効果】
【０００８】
本発明によれば、綴じ孔の周辺部に溶着補強部を有するので、綴じ込みや取り外しの動作が簡単であり、かつ、厚みのあるパンフレット等を収納した場合であっても、自然に外れる現象を防ぎ、綴じ込みや取り外しの際に容易に行うことができる。
また、溶着補強部を重ね合わせ帯部の全体ではなく、綴じ孔の周辺部に形成することで、全体に形成した場合に発生する反り返りを防ぐことができると共に、綴じ込みや取り外し作業自体も全体に形成した場合と比較して、より容易に行うことができる。
【図面の簡単な説明】
【０００９】
【図１】本発明のファイルリフィールの全体を示す正面図である。
【図２】本発明の本発明のファイルリフィールの溶着補強部を拡大して示す図である。
【図３】本発明のファイルリフィールの使用状態を示す説明図である。
【図４】本発明のファイルリフィールの取り外し状態を示す説明図である。
【発明を実施するための形態】
【００１０】
以下、本発明を実施するための形態を、図面を参照しつつ具体的に説明する。
ここで、添付図面において同一の部材には同一符号を付しており、また重複した説明は省略されている。
なお、ここでの説明は本発明が実施される一形態であることから、示した寸法に限定されず、本発明は該当形態に限定されるものではない。
【００１１】
本実施形態では、厚さ０．１８ミリメートルのポリプレンピレンの細長いシート材を用い、該シート材の中央で折り返し、縦３０４．５ミリメートル、横２３５ミリメートルの第１シートと第２シートとした。
【００１２】
図１及び図２を参照しつつ説明すると、折り返すことで形成された折り返し辺の他の３辺について、該折り返し辺の対向辺側に幅１５ミリメートルの重ね合わせ帯部１が形成されている。
また、残り２辺のうちの下側の一辺を閉じた閉塞辺２とし、他の上側の一辺を開放辺３とすることで、該開放辺３からアクセス自在な収納部４を有する袋状シート体５が形成されている。
【００１３】
該収納部４は、Ａ４規格のものを収納することが可能なものとして形成されているが、この大きさに限定されるものではない。
ここで、重ね合わせ帯部１や閉塞辺２は、多数の小さな溶着点を列状に配置した溶着列体６によって形成される。
【００１４】
特に、前記重ね合わせ帯部１は、前記溶着列体６を、１４ミリメートルの間隔を空けて２列に配置することで形成されている。
前記重ね合わせ帯部１には、縁からのスリット７を有する４個の綴じ孔８が形成されている。
ここで、綴じ孔８の間隔は、８０ミリメートルであり、上下端の綴じ孔８は各々端から３２．２５ミリメートルの位置に形成されている。
【００１５】
該綴じ孔８の周辺部には、第１シートと第２シートとの溶着補強部９が形成されている。
該溶着補強部９は、結果として各綴じ孔８の周辺部に形成されるものであるが、製造工程においては、溶着補強部９を形成した後で、綴じ孔８が形成されている。
【００１６】
溶着補強部９は、補強用溶着点１０が３０個配置された集合体によって形成され、短手方向が８ミリメートル、長手方向が１９ミリメートルの範囲で形成されている。
該補強用溶着点１０は、綴じ孔の直径を６ミリメートルとすると、例えば、縦方向である短手方向の長さが１ミリメートル、横方向である長手方向の長さが２ミリメートルのものである。
【００１７】
該補強用溶着点１０及び溶着列体６を形成する溶着点は、重ね合わせた２枚のシート材を部分的に点状に挟み込んだままで、超音波溶着によって形成することができる他に、熱溶着によって瞬間的に熱を加えてシート材を溶かした後に固めて一体化することで形成することができる。
【００１８】
次に、図３及び図４を参照しつつ説明すると、袋状シート体５を、４つの綴じ具を有するバインダー１１に綴じ込むことで使用する。
綴じ込み作業は、スリット７の部分を綴じ具の位置に合わせつつ、溶着補強部９を押し込むことで、自然に綴じ孔８が綴じ具に組み合うことで簡単に完了する。
【００１９】
取り外し作業は、図４に示すように、袋状シート体５をしならせることで、自然に綴じ孔８が綴じ具から外れることで簡単に完了する。
ここで、厚めのパンフレト等を袋状シート体５に収納した場合であっても、各綴じ孔８の周辺には溶着補強部９が形成されているので、自然に外れることはない。
また、綴じ込みや取り外しの作業を行う際にも、溶着補強部９が形成されている部分以外は、シート材としての柔軟性があるのでしなりやすく、容易に綴じ込みや取り外し作業を行うことができる。
【００２０】
上記で説明した本発明に係るファイルリフィールの袋状シート５に、厚めのパンフレトを想定して３．７５キログラムの重量シートを収納し、バインダー１１に綴じ込んだ。
この状態で、バインダー１１を持ち上げても、該袋状シート５はバインダー１１から外れないことを確認した。
これに対し、対象用に溶着補給部を形成していないファイルリフィールを用いて同じ条件下で試験を行った結果、１．７５キログラムなら外れないが、２．００キログラムでは外れてしまうことを確認した。
【符号の説明】
【００２１】
１  重ね合わせ帯部
２  閉塞辺
３  開放辺
４  収納部
５  袋状シート体
６  溶着列体
７  スリット
８  綴じ孔
９  溶着補強部
１０  補強用溶着点
１１  バインダー
【先行技術文献】
【特許文献】
【００２２】
【特許文献１】特許第４３０４１２６号公報
【図１】
0006560567.tif 000002
【図２】
0006560567.tif 000003
【図３】
0006560567.tif 000004
【図４】
0006560567.tif 000005